【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
内視鏡装置（１０）で使用されるマルチルーメン型配管の通路（３６、３８、４０）と、該マルチルーメン型配管に流体媒体を供給するための管（７２、７４、７６）との間で流体連通を確立するためのコネクター（３０）であって、
該コネクター（３０）は、入口開口部（５８）と出口開口部（５６）との間で長さ方向に延在する貫通ボアが形成された主要ボディ部（４６）を備え、
該主要ボディ部（４６）は、前記ボアと流体連通する複数の横方向ポート（６０、６２、６４）を更に備え、
前記コネクター（３０）には密封構成が設けられており、該密封構成は、前記マルチルーメン型配管の基端部の周囲の環状空間を別個の環状ポケット（８６、８８）に区分けし、これにより、前記ボア内での前記マルチルーメン型配管の角度方向に関わらず、前記ポケットが、対応する前記径方向ポート（６０、６２）と常に流体連通するようになっている、コネクター。
【請求項２】
前記ボアは、前記マルチルーメン配管の前記基端部（３４）の直径ｄよりも大きな直径Ｄを有している、請求項１に記載のコネクター。
【請求項３】
前記密封構成は、前記ボアの円周に配置された複数の別個の環状突起（７８、８０、８２、８４）を備えており、
前記環状ポケット（８６、８８）は、前記環状突起（７８、８０、８２、８４）の間で形成されており、
前記環状ポケット（８６、８８）は、前記マルチルーメン型配管の前記基端部（３４）の外周と前記ボアの円周とによって画定されている、請求項１に記載のコネクター。
【請求項４】
前記密封構成は、前記ボア内に配置可能な管状挿入部材を備えており、
前記挿入部材には、前記主要ボディ部（４６）の前記横方向ポート（６０、６２、６４）と流体連通する長さ方向チャネルと横方向ポートとが設けられており、
前記長さ方向チャネルには、前記チャネルの円周に配置された別個の環状突起が設けられており、
前記環状ポケットは前記突起の間に形成されており、前記環状ポケットは、前記マルチルーメン型配管の前記基端部（３４）の外周と前記チャネルの円周とによって画定されている、請求項１に記載のコネクター。
【請求項５】
前記主要ボディ部（４６）は、弾性プラスチック材料から作られている、請求項３に記載のコネクター。
【請求項６】
前記主要ボディ部（４６）は、前記内視鏡装置（１０）の作動ハンドル（１４）に脱着可能に接続可能である、請求項２に記載のコネクター。
【請求項７】
前記基端ポート（４８）には、入口開口部（９０）と狭窄区分（９２）とが設けられており、該狭窄区分（９２）は、外科手術器具が前記基端ポート（４８）に挿入されないとき前記ボアを密封するための手段（９４）によって閉じることが可能となっている、請求項５に記載のコネクター。
【請求項８】
前記横方向ポート（６０、６２、６４）は、前記流体媒体を前記マルチルーメン型配管に対して接線方向に供給できるように方向付けられている、請求項２に記載のコネクター。
【請求項９】
前記流体媒体が、水と、空気と、真空とを備えている、請求項８に記載のコネクター。
【請求項１０】
前記プラスチック材料がシリコンゴムである、請求項５に記載のコネクター。
【請求項１１】
前記コネクターは、使い捨て可能である、請求項１に記載のコネクター。
【請求項１２】
内視鏡装置（１０）の挿入管の中に配置可能なマルチルーメン型配管であって、
該マルチルーメン型配管は、末端部および基端部（３４）を有する細長い本体を備えており、
該本体は、流体媒体を供給するための軸作動通路（３６、３８）と、外科手術器具（９６）の挿入および引き抜きのための軸通路（４０）とを有しており、
前記基端部（３４）には、流体媒体を供給するための前記作動通路（３６、３８）と流体連通する開口部（４２、４４）が設けられている
ことを特徴とする、マルチルーメン型配管。
【請求項１３】
前記径方向開口部（３６、３８）は、接線方向に向けられた矩形切除部を備える、請求項１２に記載のマルチルーメン型配管。
【請求項１４】
前記外科手術器具（９６）の挿入及び引き抜きのための前記通路（４０）には、軸方向開放端部が設けられている、請求項１２に記載のマルチルーメン型配管。
【請求項１５】
流体媒体を供給するための前記作動通路（３６、３８）は、楕円断面を有し、前記外科手術器具の挿入及び引き抜きのための前記通路（４０）は、円形断面を有する、請求項１２に記載のマルチルーメン型配管。
【請求項１６】
前記マルチルーメン型配管は、エラストマー材料から作られている、請求項１２に記載のマルチルーメン型配管。
【請求項１７】
前記マルチルーメン型配管は、使い捨て可能である、請求項１２に記載のマルチルーメン型配管。
【請求項１８】
内視鏡装置であって、
挿入管が配備された内視鏡と、
前記挿入管に挿入可能なマルチルーメン型配管であって、該マルチルーメン型配管には、前記内視鏡に流体媒体を供給するための作動通路（３６、３８）と、外科手術器具の挿入及び引き抜きのための通路（４０）とが設けられている、前記マルチルーメン型配管と、
前記マルチルーメン型配管の前記作動通路（３６、３８）に流体媒体を供給するための管と、
前記作動通路（３６、３８）と、前記管との間で流体連通を確立するコネクター（３０）であって、該コネクターは、貫通ボアが設けられた主要ボディ部（４６）を備えており、該主要ボディ部は、前記ボアと流体連通する横方向ポート（６０、６２、６４）をさらに備えており、前記ボアは、前記マルチルーメン型配管の基端部（３４）の該ボアへの挿入および該ボアからの引き抜きを許容するようになっており、前記管は前記横方向ポートへ受容されるようになっており、前記コネクター（３０）には密封構成が配備されており、該密封構成は、前記マルチルーメン配管の前記基端部（３４）の周囲の環状空間を別個の環状ポケット（８６、８８）に区分けし、これにより、前記ボア内での前記マルチルーメン型配管の角度方向に関わらず、前記ポケットは、対応する前記径方向ポート（６０、６２）と常に流体連通するようになっており、また、前記マルチルーメン型配管の前記基端部（３４）には、前記作動通路と前記横方向ポートとの間の流体連通を確立するための径方向開口部（４２、４４）が設けられている、前記コネクターと、
を備える、内視鏡装置。
【請求項１９】
前記密封構成は、前記ボアの円周に配置された別個の環状突起（７８、８０、８２、８４）を備えており、
前記環状ポケット（８６、８８）は前記環状突起（７８、８０、８２、８４）の間に形成されており、
前記環状ポケット（８６、８８）は、前期基端部（３４）の外周と前記ボアの円周とによって画定されている、請求項１８に記載の内視鏡装置。
【請求項２０】
前記密封構成は、前記ボア内に配置可能な管状挿入部材を備えており、
該挿入部材には、前記主要ボディ部（４６）の前記横方向ポート（６０、６２、６４）と流体連通する長さ方向チャネルと横方向ポートとが設けられており、
前記長さ方向チャネルには、前記チャネルの円周に配置された別個の環状突起が設けられており、
前記環状ポケットは前記突起の間に形成されており、前記環状ポケットは、前記マルチルーメン型配管の前記基端部（３４）の外周と前記チャネルの円周とによって画定されている、請求項１８に記載の内視鏡装置。